(57)【要約】  【課題】ホックの変形を防止することが出来て、しかもホックを構成する一対の止め具同士の嵌合乃至離脱作業に支障のないホック用ガード部材を提供する。  【解決手段】雄側止め具とこの雄側止め具に嵌合可能な雌側止め具から構成されるホックを保護するためのガード部材であって、前記止め具の設置座板部と、この設置座板部の周縁部から止め具の高さよりも高く突出する複数の保護壁部が備えられ、隣接する前記保護壁部間には、指先が前記設置座板部の外周外方から設置座板部の外周内方に挿入可能なる指挿入凹部が設けられており、また前記設置座板部が平面視円形に形成され、２個の保護壁部が前記設置座板部の周縁における止め具を挟んだ対称位置に設けられると共に、前記保護壁部間の指挿入凹部の上面には、保護壁部の頂点に向かって傾斜する傾斜壁面が設けられた。【選択図】図３
2008061801.tif 000002
【特許請求の範囲】
【請求項１】
雄側止め具とこの雄側止め具に嵌合可能な雌側止め具から構成されるホックを保護するためのガード部材であって、前記止め具の設置座板部と、この設置座板部の周縁部から止め具の高さよりも高く突出する複数の保護壁部が備えられ、隣接する前記保護壁部間には、指先が前記設置座板部の外周外方から設置座板部の外周内方に挿入可能なる指挿入凹部が設けられていることを特徴とするホック用ガード部材。
【請求項２】
設置座板部が平面視円形に形成され、２個の保護壁部が前記設置座板部の周縁における止め具を挟んだ対称位置に設けられると共に、前記保護壁部間の指挿入凹部の上面には、保護壁部の頂点に向かって傾斜する傾斜壁面が設けられていることを特徴とする請求項１に記載のホック用ガード部材。
【発明の詳細な説明】
【技術分野】
【０００１】
本発明は、主としてキャディバッグに取り付けられるホックが不用意に変形するのを防ぐためのホック用ガード部材に関する。
【背景技術】
【０００２】
一般にゴルフクラブなどを収容するためのキャディバッグは、筒状に形成されたバッグ本体の上端開口部に、この開口部を覆うための筒状のカバー部材がホックを介して装着されるようにしているのであって、具体的には、バッグ本体の上端部外周には、ホックを構成する一方の例えば雄側止め具が取り付けられると共に、カバー部材の下端部内周には、ホックを構成する一方の例えば雌側止め具が取り付けられ、カバー部材でバッグ本体の上端開口を覆う場合には、カバー部材をバッグ本体の上端開口に被せたると共に、雌側止め具を雄側止め具に嵌合させることで、カバー部材をバッグ本体の上端部に装着し、また例えばプレイ時には、カバー部材をバッグ本体から取り外して、バッグ本体の上端開口部を開き、ゴルフクラブを出し入れするようにしている。
【０００３】
（特許文献１参照）
ところで、以上のキャディバッグでは、バッグ本体の上端部外周に取り付けられるホックの一方の止め具が、バッグ本体の上端外周面に対して外方に突出していることから、例えば、カバー部材を取り外した状態で、バッグ本体が不用意に倒れるなどすると、バッグ本体の上端部外周に取り付けたホックの止め具が、床面や壁面などに直接衝突して変形することがあるが、この止め具が少しでも変形すると、他方の止め具との嵌合が円滑に行なえず、結果として変形した止め具の交換を行なわざるを得なくなる。
【０００４】
以上の不具合を解消するには、ホックの止め具を厚い板材から形成する方法も考えられるが、厚い板材から形成した場合には、止め具同士の嵌合乃至離脱が行い難くなる。
【特許文献１】特開２００３−１０５０５７号
【発明の開示】
【発明が解決しようとする課題】
【０００５】
本発明は以上の実情に鑑みて開発されたものであって、目的とするところは、ホックの変形を防止することが出来て、しかもホックを構成する一対の止め具同士の嵌合乃至離脱作業に支障のないホック用ガード部材を提供するにある。
【課題を解決するための手段】
【０００６】
以上の目的を達成するために、請求項１に記載の発明は、雄側止め具とこの雄側止め具に嵌合可能な雌側止め具から構成されるホックを保護するためのガード部材であって、
前記止め具の設置座板部と、この設置座板部の周縁部から止め具の高さよりも高く突出する複数の保護壁部が備えられ、隣接する前記保護壁部間には、指先が前記設置座板部の外周外方から設置座板部の外周内方に挿入可能なる指挿入凹部が設けられていることを特徴とするものである。
【０００７】
また請求項２に記載の発明は、請求項１に記載のガード部材において、設置座板部が平面視円形に形成され、２個の保護壁部が前記設置座板部の周縁における止め具を挟んだ対称位置に設けられると共に、前記保護壁部間の指挿入凹部の上面には、保護壁部の頂点に向かって傾斜する傾斜壁面が設けられていることを特徴とするものである。
【発明の効果】
【０００８】
請求項１に記載の発明によれば、ホックの一方の止め具を取り付けた例えばバッグ本体が床面に倒れたり壁面などに衝突するなどしても、止め具よりも先にガード部材の保護壁部の上端が床面や壁面に衝突するので、止め具が直接床面や壁面に当たることがなく、従ってホックを構成する止め具が不用意に変形するようなことがなく、全体としてホックを長期にわたって支障なく利用することが出来る。
【０００９】
しかも、嵌合している止め具同士を取り外す際には、指挿入凹部を介して指先を止め具の一方に引っ掛け、一方の止め具を他方の止め具から容易に取り外すことが出来る。
【００１０】
また請求項２に記載の発明によれば、ホックを構成する雄側止め具と雌側止め具の両者にガード部材を取り付けておくことにより、ホックの一方の止め具を他方の止め具から取り外す際に、一方のガード部材を他方のガード部材に対して回転させるだけで、重合する両ガード部材の傾斜壁面がカム面の作用をして、一方のガード部材が他方のガード部材に対して離間方向に強制的に移動させられ、これにより、一方のガード部材に取り付けられている止め具が、他方のガード部材に取り付けられている止め具に対しても強制的に離間方向に移動させられて、ホックが簡単且つスムーズに外れるのである。
【発明を実施するための最良の形態】
【００１１】
先ず本発明にかかるガード部材が取り付けられるキャディバッグを説明する。
【００１２】
図１において符号１で示すキャディバッグは、主としてゴルフクラブＣを収納するための筒状をしたバッグ本体２と、このバッグ本体２の下端に組み付けられてキャディバッグ１の底を画成する有底筒状のボトム３と、バッグ本体２の上端開口部に後記のホック５を介して取り付けられて、バッグ本体２の上端開口部分から突出するゴルフクラブＣの主としてヘッド部分を覆う筒状のカバー部材４とから構成されている。
【００１３】
ホック５は、円筒状の雄側嵌合筒部５１ａを備えた金属製の雄側止め具５ａと、この雄側止め具５ａに嵌合可能な円筒状の雌側嵌合筒部５１ｂを備えた金属製の雌側止め具５ｂとから構成されている既存構造のものであって、雄側止め具５ａが、ハトメ部材６を介してバッグ本体２における上端部外周に、また雌側止め具５ｂが、同じくハトメ部材６を介してカバー部材４における下端開口部の内周面にそれぞれ取り付けるようにしている。
【００１４】
ハトメ部材６は、円盤状のベースプレート部６１と、このベースプレート部６１の中央から一体に立設した円筒状のカシメ筒部６２とから構成され、既知の通り、止め具５ａ・５ｂに挿通したカシメ筒部６２をカシメ用工具（図示せず）により変形させることで、止め具５ａ・５ｂをハトメ部材６を介してバッグ本体２またはカバー部材４に固定する    ようにしている。
【００１５】
本発明のガード部材７は、以上のホック５を構成する雄側止め具５ａや雌側止め具５ｂを保護するためのものであって、次にこのガード部材６を説明する。
【００１６】
図に示すガード部材７は、合成樹脂材料から形成されているのであって、前記止め具５ａ、５ｂの設置座板部７１と、この設置座板部７１の周縁部から突出する左右一対の保護壁部７２ａ・７２ｂが備えられ、これら保護壁部７２ａ・７２ｂの最も高い部位は、その高さが止め具５ａ、５ｂの高さよりも高くなっている。
【００１７】
設置座板部７１における前記止め具５ａ、５ｂの設置面７１ａは平面視円形に形成され、その中央には、ハトメ部材６のカシメ筒部６２が挿通可能な貫通孔７１ｂが形成されている。
【００１８】
また隣接する保護壁部７２ａ・７２ｂ間には、手の指先が設置座板部７１の外方から設置座板部７１の外周よりも内方に挿入可能な指挿入凹部７３ａ・７３ｂが設けられており、これら指挿入凹部７３ａ・７３ｂの上端が、保護壁部７２ａ・７２ｂの頂点に向かって傾斜する傾斜壁面７４となっているのであって、この傾斜壁面７４は、貫通孔７１ｂを中心とした平面視リング状に形成されている。
【００１９】
図１〜図７に示す実施形態では、以上のガード部材７が雄側止め具５ａ及び雌側止め具５ｂにそれぞれ装着されているのであって、具体的には、雄側止め具５ａをバッグ本体２に取り付けるに際して、ハトメ部材６のカシメ筒部６２をバッグ本体２の内面側からこのバッグ本体２に形成した挿通孔２０に挿通すると共に、その挿通端部を更にバッグ本体２の外面にセットしたガード部材７の貫通孔７１ｂから設置座面７１ａにセットした雄側止め具５ａに順次挿通して、その挿通端部をカシメ用工具により変形させることで、ガード部材７を雄側止め具５ａに装着している。
【００２０】
また雌側止め具５ｂをカバー部材４に取り付けるに際しては、ハトメ部材６のカシメ筒部６２をカバー部材４の外面側からこのカバー部材４に形成した挿通孔４０に挿通すると共に、その挿通端部を更にカバー部材４の内面にセットしたガード部材７の貫通孔７１ｂから設置座面７１ａにセットした雌側止め具５ｂに順次挿通して、その挿通端部をカシメ用工具により変形させることで、ガード部材７を雌側止め具５ｂに装着している。
【００２１】
尚、バッグ本体２に取り付けられたガード部材７は、指挿入凹部７３ａ・７３ｂが上下に位置し、またカバー部材４に取り付けられたガード部材７は、指挿入凹部７３ａ・７３ｂが左右に位置するようにして、ホック５を嵌めた際に、雄側止め具５ａ及び雌側止め具５ｂに設けられた両者のガード部材７が指挿入凹部７３ａ・７３ｂを介してクロスするようにしている。
【００２２】
以上のガード部材７を取り付けたキャディバッグ１では、バッグ本体２にホック５を介して取り付けられているカバー部材４を外す際には、カバー部材４の外面からこのカバー部材7側のガード部材７を持って、バッグ本体２側のガード部材７に対して図６に示すように回転させるだけでよいのであって、即ち、指挿入凹部７３ａ・７３ｂの上端に設けられた傾斜壁面７４が、貫通孔７１ｂを中心とした平面視リング状に形成され、且つ保護壁部７２ａ・７２ｂの頂点に向かって傾斜していることから、カバー部材7側のガード部材７をバッグ本体２側のガード部材７に対して止め具５ａ・５ｂ支点にして回転させることで、両ガード部材７の重なり合う傾斜面７４同士がカム面の作用をして、カバー部材7側のガード部材７がバッグ本体２側のガード部材７に対して離間方向（図６において矢印  Ｘ方向）に強制的に変位し、これによりカバー部材7側のガード部材７に取り付けられている雌側止め具５ｂも、バッグ本体２側のガード部材７に取り付けられている雄側止め具５ａに対して離間方向に強制に移動させられて、雄側止め具５ａに対する嵌合が解除され、ホック５が簡単且つスムーズに外れるのである。
【００２３】
一方、以上のガード部材４が取り付けられたバッグ本体２が、カバー部材を取り外した状態から倒れて、例えば図７に示すように床面Ｗに衝突しても、止め具５ａよりも先にガード部材７の保護壁部７２ａ・７２ｂの上端が床面Ｗに衝突して、止め具５ａが直接壁面Ｗに当たって変形してしまうようなことがなく、従って、全体としてホックを長期にわたって支障なく利用することが出来る。
【００２４】
以上の実施形態では、ガード部材７をバッグ本体２側の止め具５ａとカバー部材４側の止め具５ｂの両者に装着したが、図８及び図９に示すように、バッグ本体２側の止め具５ａのみにガード部材７を設けてもよい。
【００２５】
バッグ本体２側の止め具５ａのみにガード部材７を設けた場合では、ホック５を外す時、手の指先部分をカバー部材４の内面側とバッグ本体２の外面側との隙間から指挿入凹部７３ａまたは７３ｂ内に入れ、指先をカバー部材４側の雌側止め具５ｂに引っ掛けて、雌側止め具５ｂを持上げることで、雄側止め具５ａとの嵌合を離脱させるのである。
【００２６】
またガード部材７は、図１０に示すように、バッグ本体２の上端部外周に巻かれる補強用の合成樹脂材から形成される口巻き部材２１に一体形成してもよい。
【００２７】
また以上の実施形態では、本発明にかかるガード部材７をキャディバッグ１に装着するホック５に適用したが、これに限定されるものではなく、例えばボストンバッグや大型の旅行用バッグに装着するホックに適用してもよい。
【図面の簡単な説明】
【００２８】
【図１】本発明のガード部材を取り付けたキャディバッグの斜視図。
【図２】同、要部の拡大斜視図。
【図３】ガード部材の拡大斜視図。
【図４】ガード部材を取り付けたキャディバッグの要部の断面図。
【図５】図４に示すキャディバッグを分解して示す説明図。
【図６】ガード部材とホックとの関係を示す説明図。
【図７】バッグ本体に取り付けられたガード部材の説明図。
【図８】本発明のガード部材を取り付けたキャディバッグの別の実施形態を示し、ホックを外した状態を示す要部の断面図。
【図９】図９に示すキャディバッグのホックをとめた状態を示す断面図。
【図１０】本発明のガード部材の別の実施形態を示す説明図。
【符号の説明】
【００２９】
１      キャディバッグ
２      バッグ本体
４      カバー部材
５      ホック
５ａ    雄側止め具
５ｂ    雌側止め具
６      ハトメ部材
７      ガード部材
７１    設置座板部
７１ａ  設置面
７２ａ・７２ｂ  保護壁部
７３ａ・７３ｂ  指挿入凹部
７４    傾斜壁面
【図１】
2008061801.tif 000003
【図２】
2008061801.tif 000004
【図３】
2008061801.tif 000005
【図４】
2008061801.tif 000006
【図５】
2008061801.tif 000007
【図６】
2008061801.tif 000008
【図７】
2008061801.tif 000009
【図８】
2008061801.tif 000010
【図９】
2008061801.tif 000011
【図１０】
2008061801.tif 000012